(57)【特許請求の範囲】
【請求項１】
室内側アルミ形材（１０，１０'）と、室外側アルミ形材（２０，２０'）と、室内側アルミ形材（１０，１０'）と室外側アルミ形材（２０，２０'）とを連結する樹脂材（３０）と、で断熱構造を形成した無目（１，１ａ，１ｂ，１ｃ）を備え、
無目（１，１ａ，１ｂ，１ｃ）は中空部に長さ方向の略全長に渡って補強材（４０）を付設してあり、
補強材（４０）は室外側アルミ形材（２０，２０'）に固定して室内側アルミ形材（１０，１０'）と接触しないように設け、室外側立ち上り部を室外側アルミ形材（２０，２０'）に当接し、室内側立ち上り部を室外側アルミ形材（２０，２０'）の樹脂材（３０）との連結部より室内側に設けてあることを特徴とする窓枠。
【請求項２】
室内側アルミ形材（１０”）と、室外側アルミ形材（２０”）と、室内側アルミ形材（１０”）と室外側アルミ形材（２０”）とを連結する樹脂材（３０）と、で断熱構造を形成した無目（１ｄ）を備え、
無目（１ｄ）は中空部に長さ方向の略全長に渡って補強材（４０）を付設してあり、
補強材（４０）は室内側アルミ形材（１０”）に固定して室外側アルミ形材（２０”）と接触しないように設け、室内側立上り部を室内側アルミ形材（１０”）に当接し、室外側立ち上り部を室内側アルミ形材（１０”）の樹脂材（３０）との連結部より室外側に設けてあることを特徴とする窓枠。
【発明の詳細な説明】
【０００１】
【発明の属する技術分野】
本発明は、屋外側をアルミ押出し形材、屋内側をアルミ押出し形材又は樹脂で構成し、少なくとも内外のアルミ形材を樹脂で遮断した構造の断熱サッシにおいて、引違い窓等の無目を熱反りさせないことを目的とした窓枠に関する。
【０００２】
【従来の技術】
従来、引違い窓の無目を設計する場合、内外レール間で熱遮断をするのが有利であると考えられているが、上記手段を採用すると室内外で温度差が発生した時に無目が熱反りを起こし、障子の開閉に著しい障害が予測される。又、熱反りを起こさない形状、例えば、図６（Ａ）〜（Ｃ）に示すような一方のアルミ押出し形材の一部を肉厚部１０ａとする手段が考えられるが、押出し成形が困難になったり見込み寸法が著しく大きくなったりするため、商品化が困難である。
【０００３】
【発明が解決しようとする課題】
したがって、本発明の課題は、上記従来技術の不具合を除去することにあり、室内外のレール間で熱遮断を行い、且つ、熱反りを起こさない様にし、内外の形材の強度的バランスを保ちつつ、押出し可能で見込み寸法の大きくない無目を具備する窓枠を提供することにある。
【０００４】
【課題を解決するための手段】
上記課題を達成するために、下記の手段を講じた。請求項１記載の窓枠は、室内側アルミ形材（１０，１０'）と、室外側アルミ形材（２０，２０'）と、室内側アルミ形材（１０，１０'）と室外側アルミ形材（２０，２０'）とを連結する樹脂材（３０）と、で断熱構造を形成した無目（１，１ａ，１ｂ，１ｃ）を備え、無目（１，１ａ，１ｂ，１ｃ）は中空部に長さ方向の略全長に渡って補強材（４０）を付設してあり、補強材（４０）は室外側アルミ形材（２０，２０'）に固定して室内側アルミ形材（１０，１０'）と接触しないように設け、室外側立ち上り部を室外側アルミ形材（２０，２０'）に当接し、室内側立ち上り部を室外側アルミ形材（２０，２０'）の樹脂材（３０）との連結部より室内側に設けてあることを特徴とする。
【０００５】
請求項２記載の窓枠は、室内側アルミ形材（１０”）と、室外側アルミ形材（２０”）と、室内側アルミ形材（１０”）と室外側アルミ形材（２０”）とを連結する樹脂材（３０）と、で断熱構造を形成した無目（１ｄ）を備え、無目（１ｄ）は中空部に長さ方向の略全長に渡って補強材（４０）を付設してあり、補強材（４０）は室内側アルミ形材（１０”）に固定して室外側アルミ形材（２０”）と接触しないように設け、室内側立上り部を室内側アルミ形材（１０”）に当接し、室外側立ち上り部を室内側アルミ形材（１０”）の樹脂材（３０）との連結部より室外側に設けてあることを特徴とする。
【０００８】
【発明の実施の形態】
【実施例１】
以下、本発明の実施例１について図面を参照しつつ説明する。図１は、実施例１の無目部の縦断面図である。
【０００９】
（窓枠）実施例１に係る窓枠は、屋内側をアルミ形材、屋外側もアルミ形材で構成し、内外のアルミ形材を樹脂で遮断した断熱サッシを用いた引違い窓であり、上下の開閉障子に対して同様の断熱サッシを用いた無目１が形成されている。即ち、上下に配置されている外障子８０と内障子７０を支持するように窓枠に無目１が形成されている。
【００１０】
（無目１）無目１の基本構造として、図１に示すように、室内側アルミ形材１０と室外側アルミ形材２０と樹脂材３０とから形成されており、この構成は断熱構造として公知である。
【００１１】
（補強材４０）実施例１の特徴は、室外側アルミ形材２０に補強材４０を付設した点にある。該補強材４０は、側面視（見込み方向において）略Ｕ形であり、鋼材を用いて形成され、無目１の長さ方向の略全長に渡って配置される。そして、補強材４０は、室外側アルミ形材２０の補強枠固定部２３にビス６０により固着される。補強材４０の一方の室内側の立上り部４１は室内側アルミ形材１０に近接配置されるが当接はしていない。また、他方の室外側の立上り部４２は、補強効果を高めるために、室外側アルミ形材２０に当接して配置される。したがって、室外側アルミ形材２０の熱は、補強材４０に伝わることがあっても、室内側アルミ形材１０に伝わることはない。
【００１２】
この補強材４０の固着により、室外側アルミ形材２０の曲げ応力は、室内側アルミ形材１０の曲げ応力に比べて圧倒的に強くなるから、結局、室内外の温度差が大きくなっても、無目１全体の熱変形はきわめて少なくなる。
【００１３】
【実施例２】
図２に示す実施例２の無目１ａは、図１に示す無目１の室外側アルミ形材２０の室外側に雨戸支持枠部２２を付設したものであり、雨戸支持枠部２２が、室外側アルミ形材２０の補強効果を奏することから、実施例１の効果を一層向上させることができる。なお、図２に示す符号で、図１の符号と同一の部材は、同一構成であるものとする。この点は、以下の実施例３〜５についても同様である。
【００１４】
【実施例３】
図３に示す実施例３の無目１ｂは、無目１の室内側アルミ形材１０'の室内側の略全面に樹脂カバー枠５０を付設したものであり、室内側アルミ形材１０'からの室内への冷熱を遮断すると同時に、化粧板としても機能させることができることから、実施例１の効果を一層向上させることができる。なお、図３の室内・外側アルミ形材１０'，２０'は、樹脂カバー枠５０を付設するために、実施例１の室内・外側アルミ形材１０，２０とは若干形状を異にしている。また、樹脂カバー枠５０には、装着する室内側アルミ形材１０'との断熱性を向上させるために、室内側アルミ形材１０'側に装着状態において室内側アルミ形材１０'と当接する突起５０ａ・・が形成されている。なお、樹脂カバー枠５０は、その素材としての特性から、室内側アルミ形材１０'の補強機能はなく、本発明の本来の課題を損なうものではない。
【００１５】
【実施例４】
図４に示す実施例４の無目１ｃは、図３に示す実施例３の無目１ｂの室外側アルミ形材２０'の室外側に雨戸支持枠部２２を付設したものであり、実施例２の無目１ａ同様に、雨戸支持枠部２２が室外側アルミ形材２０の補強効果を奏することから、実施例１及び実施例３の効果を相乗的に有し、無目１ｃの反りの抑制効果を一層向上させることができる。
【００１６】
【実施例５】
図５に示す実施例５の無目１ｄは、補強材４０の装着を室外側アルミ形材２０”に換えて室内側アルミ形材１０”にした点にある。該補強材４０は、他の実施例同様側面視（見込み方向において）略Ｕ形であり、鋼材を用いて形成され、無目１ｄの長さ方向の略全長に渡って配置される。そして、補強材４０は、室内側アルミ形材１０”にビス６０により固着される。補強材４０の一方の室内側の立上り部４１は室内側アルミ形材１０”に当接させて配置される。
【００１７】
また、他方の室外側の立上り部４２は、室外側アルミ形材２０”とは離して配置される。したがって、室内側アルミ形材１０”の熱は、補強材４０に伝わることがあっても、室外側アルミ形材２０”に伝わることはない。また、樹脂カバー枠５０は、室内側アルミ形材１０”との断熱性を向上させるために、室内側アルミ形材１０”側に室内側アルミ形材１０”と当接する突起５０ａ・・を形成し、一定の隙間をおいて配置されている点は、実施例３，４と同様である。
【００１８】
（その他）なお、上記各実施例は引違い窓用の窓枠における無目の場合を示したが、他の開閉戸や嵌め殺し戸の枠体や框に適用できることは言うまでもない。
【００１９】
【発明の効果】
以上の説明から理解できるように、このように構成された本発明により、室内側アルミ形材側と室外側アルミ形材側との熱変形量の圧倒的な差を利用して無目に熱反りを起こさない様にし、内外形材の強度的バランスを保ちつつ、押出し可能で見込み寸法の大きくない無目を提供することができる。また、無目が反らないので、内外障子の開閉がスムースになり、室内外の温度差にかかわらず正規の位置に障子をセットできることから、窓枠の水密性・機密性を永続的に保持させることができる。
【図面の簡単な説明】
【図１】本発明に係る実施例１の無目部の縦断面図。
【図２】本発明に係る実施例２の無目部の縦断面図。
【図３】本発明に係る実施例３の無目部の縦断面図。
【図４】本発明に係る実施例４の無目部の縦断面図。
【図５】本発明に係る実施例５の無目部の縦断面図。
【図６】本発明の特徴を説明するための比較説明図。
【符号の説明】
１，１ａ〜１ｄ・・・無目
１０，１０'，１０”・・室内側アルミ形材 １０ａ・・肉厚部
１１・・内障子レール
２０，２０'，２０”・・室外側アルミ形材
２１・・外障子レール
２２・・雨戸支持枠部 ２３・・補強枠固定部
３０・・樹脂材 ４０・・補強材
４１・・室内側立上り部 ４２・・室外側立上り部
５０・・樹脂カバー枠 ５０ａ・・突起
６０・・ビス ７０・・内障子 ８０・・外障子
【図１】
0003622844.tif 000002
【図２】
0003622844.tif 000003
【図３】
0003622844.tif 000004
【図４】
0003622844.tif 000005
【図５】
0003622844.tif 000006
【図６】
0003622844.tif 000007